(57)【要約】【課題】基本設定項目のうち特定項目が未設定であるときに、基本的な設定項目を一度に設定できる装置及び撮像装置を提供する。【解決手段】デジタルカメラの電源がオンになった直後に判断部がＲＴＣに日時が設定されているか否かを判断する。日時設定がされていないときには、ＬＣＤパネルに日時設定を促すメッセージを表示し、ユーザーに日時設定を促す。日時設定後には、ＬＣＤパネルに言語設定を促すメッセージを表示し、ユーザーに言語設定を促す。言語設定後には、更にＬＣＤパネルにビデオ出力の設定を促すメッセージを表示し、ユーザーにビデオ信号の出力形式を設定するように促す。  【選択図】        図１３
2007096420.tif 000002
【特許請求の範囲】
【請求項１】
電源を投入する際にオン操作される電源スイッチと、
この電源スイッチのオン操作の直後に、基本設定項目のうち特定項目が未設定であるか否かを判断する判断部と、
この判断部により特定項目が未設定であると判断された場合に、前記基本設定項目のうち少なくとも１つの項目の設定を促す設定画面を所定の表示部に表示する制御部とを設けたことを特徴とする装置。
【請求項２】
前記制御部は、前記１つの項目の設定がなされた後、続いて別の項目の設定を促す設定画面を前記表示部に表示することを特徴とする請求項１記載の装置。
【請求項３】
前記基本設定項目は、少なくとも時計部の日時を設定する日時設定項目または各種表示に使用される言語を設定する言語設定項目を含むことを特徴とする請求項１または２記載の装置。
【請求項４】
前記特定項目は、時計部の日時を設定する日時設定項目であることを特徴とする請求項１ないし３いずれか記載の装置。
【請求項５】
電源を投入する際にオン操作される電源スイッチと、撮像部により撮像された画像を表示する表示部とを備えた撮像装置において、
前記電源スイッチのオン操作の直後に、基本設定項目のうち特定項目が未設定であるか否かを判断する判断部と、
この判断部により特定項目が未設定であると判断された場合に、前記基本設定項目のうち少なくとも１つの項目の設定を促す設定画面を前記表示部に表示する制御部とを設けたことを特徴とする撮像装置。
【請求項６】
前記制御部は、前記１つの項目の設定がなされた後、続いて別の項目の設定を促す設定画面を前記表示部に表示することを特徴とする請求項５記載の撮像装置。
【請求項７】
前記基本設定項目は、時計部の日時を設定する日時設定項目，各種表示に使用される言語を設定する言語設定項目，撮像された画像のビデオ出力形式を設定するビデオ出力設定項目のうち少なくとも１項目以上を含むことを特徴とする請求項５または６記載の撮像装置。
【請求項８】
前記特定項目は、時計部の日時を設定する日時設定項目であることを特徴とする請求項５ないし７いずれか記載の撮像装置。
【発明の詳細な説明】
【技術分野】
【０００１】
本発明は、装置及び撮像装置に関し、更に詳しくは、日時設定や言語設定等の基本的な設定を行う装置及び撮像装置に関する。
【背景技術】
【０００２】
デジタルカメラ、ビデオカメラ、カメラ付き携帯電話機などの撮像装置やＤＶＤレコーダーなどの装置は、時計部を有し、この時計部に日時が設定される。日時設定を行うときには、ボタンを数秒間継続して押し込んで、表示部である液晶パネルに日時設定画面を表示し、ボタンを操作して「年」，「月」，「日」，「時」，「分」の各項目に入力する（たとえば、特許文献1参照）。
【０００３】
また、前記撮像装置や装置（以下、撮像装置等という）の中には、撮影した写真にプリントするタイトルや表示部に表示する文字などの各種表示に使用される言語を日本語や英語等の中から選択して設定する言語設定を行うものがある。言語設定を行うときには、ボタンを操作して液晶パネルに言語設定画面を表示し、ボタンを操作して装置内に記憶された言語の中から言語を選択する（たとえば、特許文献１参照）。
【０００４】
また、前記撮像装置等には、画像をテレビ画面に表示したり、ビデオテープなどの記録媒体に記録するためのビデオ信号の出力形式をＮＴＳＣ（National TV Standards Committee）又はＰＡＬ（Phase Alternating Line）のいずれかに選択して設定できるものがある。ビデオ出力形式の設定を行うには、ボタンを操作して液晶パネルにビデオ出力設定画面の表示し、ボタンを操作してビデオ出力形式を選択する。なお、このような日時設定、言語設定、ビデオ出力設定などの設定項目は、撮像装置等の基本設定項目であり、これらは一度設定されるとその後に設定が変更されることはほとんどない。
【特許文献１】特開平９−２１１６７８号公報
【発明の開示】
【発明が解決しようとする課題】
【０００５】
時計部に日時が設定されていない撮像装置等の電源をオンしたときに、表示部に日時設定を促すメッセージが表示され、画面に従って操作すると日時設定画面が表示部に表示されて日時設定を行えるものがあるが、言語設定やビデオ出力設定などは、手動操作により言語設定画面やビデオ出力設定画面を表示する必要があり、設定時の操作が煩わしいといった問題がある。
【０００６】
本発明は上記問題を解決するためになされたもので、基本的な設定項目を一度に設定できる装置及び撮像装置を提供することを目的とする。
【課題を解決するための手段】
【０００７】
上記課題を解決するために、本発明の装置は、電源を投入する際にオン操作される電源スイッチと、この電源スイッチのオン操作の直後に、基本設定項目のうち特定項目が未設定であるか否かを判断する判断部と、この判断部により特定項目が未設定であると判断された場合に、前記基本設定項目のうち少なくとも１つの項目の設定を促す設定画面を所定の表示部に表示する制御部とを設けたことを特徴とする。
【０００８】
また、前記制御部は、前記１つの項目の設定がなされた後、続いて別の項目の設定を促す設定画面を前記表示部に表示することを特徴とする。また、前記基本設定項目は、少なくとも時計部の日時を設定する日時設定項目または各種表示に使用される言語を設定する言語設定項目を含むことを特徴とする。また、前記特定項目は、時計部の日時を設定する日時設定項目であることを特徴とする。
【０００９】
本発明の撮像装置は、電源を投入する際にオン操作される電源スイッチと、撮像部により撮像された画像を表示する表示部とを備えた撮像装置において、前記電源スイッチのオン操作の直後に、基本設定項目のうち特定項目が未設定であるか否かを判断する判断部と、この判断部により特定項目が未設定であると判断された場合に、前記基本設定項目のうち少なくとも１つの項目の設定を促す設定画面を前記表示部に表示する制御部とを設けたことを特徴とする。
【００１０】
また、前記制御部は、前記１つの項目の設定がなされた後、続いて別の項目の設定を促す設定画面を前記表示部に表示することを特徴とする。また、前記基本設定は、時計部の日時を設定する日時設定項目，各種表示に使用される言語を設定する言語設定項目，撮像された画像のビデオ出力形式を設定するビデオ出力設定項目のうち少なくとも１項目以上を含むことを特徴とする。また、前記特定項目は、時計部の日時を設定する日時設定項目であることを特徴とする。
【発明の効果】
【００１１】
本発明の装置によれば、電源スイッチのオン操作の直後に、基本設定項目のうち特定項目が未設定であれば、少なくとも一つの項目の設定が促されるので、煩わしい操作を行うことなく項目の設定ができる。更に、前記一つの項目の設定がなされた後に、別の項目の設定が促されるので、項目の設定をまとめて行うことができる。基本設定項目には、少なくとも日時設定項目または言語設定項目が含まれているので、煩わしい操作を行うことなく日時設定や言語設定を行うことができる。また、前記特定項目は、時計部の日時を設定する日時設定項目であることが望ましい。
【００１２】
本発明の撮像装置によれば、電源スイッチのオン操作の直後に、基本設定項目のうち特定項目が未設定であれば、少なくとも一つの項目の設定が促されるので、煩わしい操作を行うことなく項目の設定ができる。更に、前記一つの項目の設定がなされた後に、別の項目の設定が促されるので、項目の設定をまとめて行うことができる。基本設定項目には、少なくとも日時設定項目または言語設定項目やビデオ出力設定項目が含まれているので、煩わしい操作を行うことなく日時設定や言語設定やビデオ出力設定を行うことができる。また、前記特定項目は、時計部の日時を設定する日時設定項目であることが望ましい。
【発明を実施するための最良の形態】
【００１３】
本発明を実施した撮像装置であるデジタルカメラの外観形状を示す斜視図である図１において、デジタルカメラ２の前面には、レンズ鏡筒３が設けられている。レンズ鏡筒３は、デジタルカメラ２の電源がオフされた時にカメラ本体４内に沈胴され、電源がオンされたときにカメラ本体４内から前方へ繰り出される。レンズ鏡筒３の背後には、被写体画像を撮像するイメージセンサが配置されており、組み込まれた撮影レンズ５によってイメージセンサ上に被写体画像を結像する。レンズ鏡筒３の上部には、被写体に向けてストロボ光を照射するストロボ発光部６と、対物側光学ファインダ窓７とが設けられている。
【００１４】
デジタルカメラ２の上面には、シャッタボタン１１等が設けられている。また、デジタルカメラ２の一方の側面には、蓋１２によって開閉自在とされたメモリカードスロット１３が設けられている。このメモリカードスロット１３には、撮影により生成された画像データが記憶されるメモリカード１４がセットされる。シャッタボタン１１は、２段階の押圧操作が可能であり、軽く押圧されて１段目がオンすると（半押し）、撮像時の露出値、ピント位置などを確定する撮影準備処理が実行される。この撮影準備処理に次いで、シャッタボタン１１がさらに深く押し込まれて２段目がオンすると（全押し）、イメージセンサから出力された撮像信号を信号処理して得られた画像データをメモリカード１４に記録する撮影処理が実行される。
【００１５】
デジタルカメラ２の背面図である図２において、左側上部には、接眼側光学ファインダ窓１７が設けられている。また、下部には、ＬＣＤパネル（液晶パネル）１８が表示部として設けられている。このＬＣＤパネル１８には、撮影中の被写体のスルー画像や、撮影済みの再生画像、各種設定メニューなどが表示される。
【００１６】
デジタルカメラ２の背面でＬＣＤパネル１８の上部には、デジタルカメラ２の操作に用いられる操作部２２が設けられている。この操作部２２は、電源ボタン２３と、モード選択レバー２４と、撮影モード選択ダイヤル２５と、ＢＡＣＫボタン２６と、メニュー／ＯＫボタン２７と、十字カーソルボタン２８と、表示ボタン２９とからなる。
【００１７】
デジタルカメラ２は、撮影を行う撮影モードと、撮影済みの画像を再生表示する再生モードと、各種設定を行うセットアップモードとの３つの動作モードを備えている。これら動作モードの切り換えには、モード選択レバー２４と、メニュー／ＯＫボタン２７及びＢＡＣＫボタン２６とが使用される。モード選択レバー２４は、電源ボタン２３の外周で揺動操作され、撮影モードと再生モードとを切り換える。
【００１８】
メニュー／ＯＫボタン２７は、撮影モードまたは再生モードからセットアップモードに切り換える際に使用され、ＢＡＣＫボタン２６は、セットアップモードから撮影モードまたは再生モードへと復帰させる際に使用される。なお、メニュー／ＯＫボタン２７は、セットアップモードへの切り換えとともに、設定内容の確定に使用され、ＢＡＣＫボタン２６は、設定メニューの項目内容をさかのぼる際や、設定内容をキャンセルする際にも使用される。
【００１９】
十字カーソルボタン２８は、設定メニューの項目選択や撮影時のズーム操作に使用される。表示ボタン２９は、ＬＣＤパネル１８のオン／オフの切り換えに使用される。各ボタン及びレバー内には、各ボタン及びレバーの操作によって操作信号を発生するスイッチが組み込まれている。
【００２０】
図３は、デジタルカメラ２の構成を示すブロック図である。ＣＰＵ３９は、シャッタボタン１１及び操作部２２から入力される操作信号に応じ、バス４０を介してデジタルカメラ２の各部を制御する。フラッシュＲＯＭ４１には、ＣＰＵ３９によって実行される制御プログラムが格納されている。ＳＤＲＡＭ４２は、ＣＰＵ３９が制御プログラムを実行し、画像データに画像処理を施す際の作業メモリである。
【００２１】
撮影レンズ５は、ドライバ回路４５に駆動されるモータ４６によって光軸方向に沿って移動され、ピント合わせと変倍とが行われる。撮影レンズ５の背後には、ＣＣＤタイプのイメージセンサ４９が配置されている。イメージセンサ４９は、撮影レンズ５を通過してその受光面に結像された被写体光を撮像し、アナログの撮像信号を出力する。イメージセンサ４９には、シャッタボタン１１の操作に応じてシャッタレリーズ動作を行なう電子シャッタ機能が備えられている。この電子シャッタ機能は、タイミングジェネレータ５０から入力されるタイミング信号（クロックパルス）に基づいて制御される。
【００２２】
イメージセンサ４９から出力されたアナログの撮像信号は、ＣＤＳ／ＡＭＰ回路５３に入力される。ＣＤＳ／ＡＭＰ回路５３は、相関二重サンプリング回路（ＣＤＳ）と、増幅器（ＡＭＰ）とからなる。ＣＤＳは、イメージセンサ４９からのアナログ信号からＲ，Ｇ，Ｂの画像データを生成し、ＡＭＰは、ＣＤＳによって生成されたＲ，Ｇ，Ｂの画像データを増幅する。この後にＡ／Ｄ変換器（Ａ／Ｄ）５４によってアナログのＲ，Ｇ，Ｂの画像データがデジタルのＲ，Ｇ，Ｂの画像データに変換される。
【００２３】
画像信号処理回路５７は、デジタルのＲ，Ｇ，Ｂの画像データに対して、階調変換、ホワイトバランス補正、γ補正処理などの各種画像処理と、ＹＣ変換処理とを施す。撮影モード下で撮影処理が実行される前には、画像信号処理回路５７に入力された画像データは、簡易な画像処理とＹＣ変換処理とが施され、スルー表示用の画像データとしてＳＤＲＡＭ４２に一時的に書き込まれる。
【００２４】
画像再生処理回路５９は、ＳＤＲＡＭ４２に書き込まれたスルー表示用の画像データをコンポジット信号に変換し、ＬＣＤ制御回路６０はＬＣＤパネル１８を制御して、スルー表示用の画像データを表示する。一方、撮影処理が実行されたときには、画像信号処理回路５７に入力された画像データは、本格的な画像処理とＹＣ変換処理とが施され、ＳＤＲＡＭ４２に記録される。
【００２５】
圧縮伸張処理回路６３は、撮影モード下でＳＤＲＡＭ４２に記録された画像データを所定の圧縮形式（例えばＪＰＥＧ形式）で圧縮して画像ファイルを生成する。この圧縮された画像ファイルがメディア制御回路６４によってメモリカード１４に記録される。また、圧縮伸長処理回路６３は、再生モード下でメディア制御回路６４によってメモリカード１４から読み出された画像ファイルを伸張処理する。伸長処理された画像ファイルは、画像再生処理回路５９及びＬＣＤ制御回路６０によってＬＣＤパネル１８に再生画像として表示させる。
【００２６】
ストロボ回路７２は、前述のストロボ発光部６にストロボ発光を行なわせる回路であり、ＣＰＵ３９によって制御される。
【００２７】
言語ＲＯＭ７３には、ＬＣＤパネル１８の表示に使用される言語、たとえば日本語や英語等のフォントデータが記憶されている。これらの言語のうち、いずれかを使用するかは、後述する言語設定画面で決定される。
【００２８】
ビデオ信号処理回路７４は、メモリカード１４に記憶された画像データ又はスルー表示用の画像データを予め選択されたビデオ信号の出力形式（ＮＴＳＣ又はＰＡＬ）に変換し、ビデオ端子７５を介して外部のテレビに表示したり、ビデオ端子７５に接続されたビデオレコーダに送る。なお、前記ビデオ信号の出力形式の選択は、後述するビデオ出力設定画面で行われる。
【００２９】
ＲＴＣ（Real  Time  clock）７６は、計時専用のＩＣチップであり、デジタルカメラ２内に組み込まれたバックアップ用の内蔵電池から電源供給を受けて動作している。ＣＰＵ３９は、電源オン時に、日時の設定がされているＲＴＣ７６から基準時間を取得し、撮影日時等に用いている。符号７７は、判断部で、デジタルカメラ２の電源がオンになった直後に、ＲＴＣ７６に日時が設定されているか否かを判断する。この判断結果は、ＣＰＵ３９に入力される。
【００３０】
ＣＰＵ３９は、判断部７７の判断結果により、日時設定がなされているときには、モード選択レバー２４のセット位置に対応した動作モードに応じた表示をＬＣＤパネル１８に表示させる。日時が未設定のときには、図４に示すように、ＣＰＵ３９は、ＬＣＤパネル１８に日時設定を促すメッセージ画面７８を表示させる。このメッセージ画面７８には、例えば「日時設定がクリアされています。」という日時設定を促すメッセージ７９と、メニュー／ＯＫボタン２７又はＢＡＣＫボタン２６の操作を促す操作案内８０が表示される。このメッセージ画面７８でＢＡＣＫボタン２６を操作すると、モード選択レバー２４のセット位置に対応した動作モードに移行する。また、メニュー／ＯＫボタン２７を操作すると、図５に示すように、ＲＴＣ７６に日時を設定する日時設定画面８３がＬＣＤパネル１８に表示される。
【００３１】
日時設定画面８３には、設定内容を表す標題８４と、年月日の表示順序を設定する日付表示順序入力部８５と、設定された表示順序にしたがって年月日と時間と分とが表示される日時入力部８６と、操作案内８０とが表示される。また、図５に示す日時設定画面８３では、日時入力部８６の「年」の項目の上下に数字８８が表示されていて、十字カーソルボタン２８の上下ボタン２８ａ，２８ｂを操作すると、数字８８がスクロールし、「年」の項目の数字が変わる。
【００３２】
また、図５に示す日時設定画面８３で、十字カーソルボタン２８の右ボタン２８ｃを操作すると、図６に示すように、「月」の項目の上下に数字８９が表示され、上下ボタン２８ａ，２８ｂを操作すると、数字８９がスクロールし、「月」の項目の数字が変わる。更に、右ボタン２８ｃ操作し、変更したい項目の上下に数字が表示されたときに、上下ボタン２８ａ，２８ｂを操作することにより「日」，「時」，「分」の各項目を変えられる。
【００３３】
また、図５に示す日時設定画面８３のときに、十字カーソルボタン２８の左ボタン２８ｄを操作すると、図７に示すように、日付表示順序入力部８５の項目の上下に、「月／日／年」９０と「日．月．年」９１の表示がされる。たとえば、上ボタン２８ａを操作すると、図８に示すように、上方へスクロールして日付表示順序入力部８５に「日．月．年」９１が入り、この順序に日付入力部８６の表示順序が変化する。
【００３４】
ＬＣＤパネル１８に日時設定画面８３を表示した状態で、メニュー／ＯＫボタン２７を操作すると、その入力内容が確定されて日時設定が完了する。また、入力後にＢＡＣＫボタン２６を操作すると、入力内容がキャンセルされてモード選択レバー２４のセット位置に対応した動作モードに移行する。
【００３５】
メニュー／ＯＫボタンが操作されて日時設定が完了すると、ＬＣＤパネル１８に図９に示す言語設定を促すメッセージ画面９１が表示される。このメッセージ画面９１には、例えば「言語設定をしますか？」という言語設定を促すメッセージ９２と、操作案内８０とが表示される。
【００３６】
ＬＣＤパネル１８にメッセージ画面９１を表示した状態で、ＢＡＣＫボタン２６を操作すると、モード選択レバー２４のセット位置に対応した動作モードに移行する。また、メニュー／ＯＫボタン２７を操作すると、図１０（ａ）に示すように、言語設定画面９４がＬＣＤパネル１８に表示される。
【００３７】
言語設定画面９４には、標題９５と、各設定の設定状態を表すメニュー表示部９６と、ＬＣＤパネル１８の表示に使用される言語を表示する言語表示部９７とが表示される。また、メニュー表示部９６の「日本語」の欄が点滅している。
【００３８】
言語表示部９７には、「日本語」，「ＥＮＧＬＩＳＨ」，「ＦＲＡＮＣＡＩＳ」，「ＤＥＵＴＳＣＨ」，「ＥＳＰＡＮＯＬ」，「ＩＴＡＬＩＡＮＯ」などの言語を表す表示があり、右ボタン２８ｃを操作すると、図１０（ｂ）のように、言語表示部９７の「日本語」の欄が点滅した表示になる。次に、上下ボタン２８ａ，２８ｂを操作して前記表示のいずれかを選ぶことで、日本語、英語、フランス語、ドイツ語、スペイン語、イタリア語などの中からＬＣＤパネル１８の表示に使用される言語を選択できる。たとえば、下ボタン２８ｂを一度操作すると、「ＥＮＧＬＩＳＨ」の表示が選択され、言語設定画面９４は、図１０（ｃ）に示すように、言語表示部９７の「ＥＮＧＬＩＳＨ」の欄が点滅するとともに、ＣＰＵ３９は、言語ＲＯＭ７３から英語のフォントデータを読み出してＬＣＤパネル１８の表示にし使用する。これにより、メニュー表示９６の表示も英語になる。なお、ＢＡＣＫボタン２６を操作すると、選択内容がキャンセルされてＬＣＤパネル１８に、図１１に示すビデオ出力設定を促すメッセージ画面１００が表示される。他の言語設定も同様である。
【００３９】
ＬＣＤパネル１８に言語設定画面９４が表示された状態で、メニュー／ＯＫボタン２７を操作すると、言語設定が完了してＬＣＤパネル１８に図１１に示すビデオ出力設定を促すメッセージ画面１００が表示される。この画面１００には、例えば「ビデオ出力設定をしますか？」というビデオ出力設定を促すメッセージ１０１と、操作案内８０とが表示される。
【００４０】
このメッセージ画面１００で、ＢＡＣＫボタン２６を操作すると、デジタルカメラ２は、モード選択レバー２４のセット位置に対応した動作モードに移行する。また、メッセージ画面１００で、メニュー／ＯＫボタン２７を操作すると、図１２に示すビデオ出力設定画面１０５がＬＣＤパネル１８に表示される。
【００４１】
ビデオ出力設定画面１０５には、標題１０６と、各設定の設定状態を表すメニュー表示部９６と、ビデオ信号の出力形式を選択する出力形式表示部１１１とが表示される。画面１０５で、右ボタン２８ｃを操作したあと、上下ボタン２８ａ，２８ｂを操作してＮＴＳＣまたはＰＡＬを選択する。選択後にメニュー／ＯＫボタン２７を操作すると、ビデオ処理信号回路７４で画像データを変換するビデオ信号の出力形式が設定され、ビデオ出力設定が完了し、デジタルカメラ２は、モード選択レバー２４のセット位置に対応した動作モードに移行する。また、ＢＡＣＫボタン２６を操作すると、選択内容がキャンセルされてモード選択レバー２４のセット位置に対応した動作モードに移行する。
【００４２】
このように構成されたデジタルカメラ２の作用について図１３に示すフローチャートを用いて説明する。ユーザーは、モード選択レバー２４を揺動操作して、撮影モードか再生モードのどちらかの動作モードを選択する。次に、電源ボタン２３を操作してデジタルカメラ２の電源をオンにすると、その直後に、判断部７７がＲＴＣ７６に日時が設定されているか否を判断する。日時が設定されているときには、その際のモード選択レバー２４のセット位置に対応した動作モードで、デジタルカメラ２が起動する。
【００４３】
日時が未設定のときには、ＬＣＤパネル１８に日時設定を促すメッセージ画面７８が表示される。日時設定をすぐに行わないときには、ＢＡＣＫボタン２６を操作する。これにより、モード選択レバー２４のセット位置に対応した動作モードに移行される。
【００４４】
メッセージ画面７８でメニュー／ＯＫボタン２７を操作すると、ＬＣＤパネル１８には図５に示す日時設定画面８３が表示される。ユーザーは、左右ボタン２８ａ，２８ｂで設定すべき項目間を移動し、上下ボタン２８ａ，２８ｂで設定内容を入力する。ＢＡＣＫボタン２６を操作すると、日時設定がキャンセルされ、モード選択レバー２４のセット位置に対応した動作モードに移行する。
【００４５】
メニュー／ＯＫボタン２７を操作すると、日時設定が完了し、次に、言語設定を促すメッセージ画面９１がＬＣＤパネル１８に表示される。言語設定をすぐに行わないときには、ＢＡＣＫボタン２６を操作して、モード選択レバー２４のセット位置に対応した動作モードに移行する。
【００４６】
メニュー／ＯＫボタン２７を操作すると、言語設定画面９４がＬＣＤパネル１８に表示される。ユーザーは、右ボタン２８ｃを操作してから上下ボタン２８ａ，２８ｂを操作し、言語表示部９７の表示の中からＬＣＤパネル１８に表示する言語を選択する。ＢＡＣＫボタン２６を操作すると選択内容がキャンセルされ、ＬＣＤパネル１８に図１１に示すビデオ出力設定を促すメッセージ画面１００が表示される。
【００４７】
メニュー／ＯＫボタン２７を操作すると、言語設定が完了し、次にビデオ出力設定を促すメッセージ画面１００がＬＣＤパネル１８に表示される。ビデオ出力設定をすぐに行わないときには、ＢＡＣＫボタン２６を操作して、モード選択レバー２４のセット位置に対応した動作モードに移行する。
【００４８】
メニュー／ＯＫボタン２７を操作すると、ビデオ出力設定画面１０５がＬＣＤパネル１８に表示される。ユーザーは、右ボタン２８ｃを操作してから上下ボタン２８ａ、２８ｂを操作し、出力形式表示部１１１の表示の中から「ＮＴＳＣ」，「ＰＡＬ」のどちらかを選び、ビデオ信号の出力形式を選択する。選択後にメニュー／ＯＫボタン２７を操作するとビデオ出力設定が完了し、モード選択レバー２４のセット位置に対応した動作モードに移行する。また、ＢＡＣＫボタン２６を操作すると設定がキャンセルされ、モード選択レバー２４のセット位置に対応した動作モードに移行する。ユーザーは、モード選択レバー２４の位置に対応した動作モードに移行した後、所望の操作を行う。デジタルカメラ２の使用を中止するときには、電源ボタン２３を押して電源をオフにする。
【００４９】
以上説明した上記実施形態では、時計部の日時が未設定のときに、日時設定→言語設定→ビデオ出力設定の順番に設定を促していたが、本発明はこれに限定されることなく、例えば日時設定→ビデオ出力設定→言語設定の順番でもよく、また、言語設定やビデオ出力設定を省略してもよい。また、上記実施形態では、設定を促すときに、基本設定項目のうち特定項目にあたる日時設定を最初に促したが、項目の設定が促される順番は任意で、言語設定やビデオ出力設定を最初に促してもよい。本発明の基本設定は、日時設定や言語設定、ビデオ出力設定だけでなく、たとえば、表示部に表示される画像の明るさの設定や、各種表示の文字の大きさの設定などでもよい。
【００５０】
また、上記実施形態では、日時が未設定の撮像装置の電源をオンしたとき、ＬＣＤパネルに、日時設定を促すメッセージ画面を表示したが、このメッセージ画面を省略して日時設定を行う日時設定画面を表示してもよい。同様に、言語設定画面や、ビデオ出力設定画面を表示する前に表示したそれぞれのメッセージ画面を省略してもよい。なお、表示部は、ＬＣＤパネルに限らず、有機ＥＬディスプレイなどでもよい。
【００５１】
上記実施形態では、デジタルカメラを例に挙げて本発明を説明したが、本発明は、ビデオカメラやカメラ付き携帯電話機を始めとする撮像装置や、ＤＶＤレコーダー等の様々な装置にも適用することができる。
【図面の簡単な説明】
【００５２】
【図１】デジタルカメラの外観を示す斜視図である。
【図２】デジタルカメラの背面図である。
【図３】デジタルカメラの構成を示すブロック図である。
【図４】ＬＣＤパネルに表示された日時設定を促すメッセージ画面を示す説明図である。
【図５】「年」を変更する日時設定画面を示す説明図である。
【図６】「月」を変更する日時設定画面を示す説明図である。
【図７】「年月日」の表示順序を変更する日時設定画面を示す説明図である。
【図８】「年月日」を変更した後の日時設定画面を示す説明図である。
【図９】言語設定項目の設定を促すメッセージ画面を示す説明図である。
【図１０】言語設定画面を示す説明図である。
【図１１】ビデオ出力設定を促すメッセージ画面を示す説明図である。
【図１２】ビデオ出力設定画面を示す説明図である。
【図１３】日時設定及び言語設定並びにビデオ出力設定の流れを示すフローチャートである。
【符号の説明】
【００５３】
２  デジタルカメラ
１４  メモリカード
１８  ＬＣＤパネル
２２  操作部
３９  ＣＰＵ
７３  言語ＲＯＭ
７４  ビデオ信号処理回路
７６  ＲＴＣ
７７  判断部
８３  日時設定画面
【図１】
2007096420.tif 000003
【図２】
2007096420.tif 000004
【図３】
2007096420.tif 000005
【図４】
2007096420.tif 000006
【図５】
2007096420.tif 000007
【図６】
2007096420.tif 000008
【図７】
2007096420.tif 000009
【図８】
2007096420.tif 000010
【図９】
2007096420.tif 000011
【図１０】
2007096420.tif 000012
【図１１】
2007096420.tif 000013
【図１２】
2007096420.tif 000014
【図１３】
2007096420.tif 000015